(57)【特許請求の範囲】
【請求項１】
予め登録される複数の広告情報を記憶している記憶手段と、
原稿の画像を読取る読取手段と、
この読取手段で読取られた原稿の画像データに対して文字認識を行って文字列情報を抽出する抽出手段と、
この抽出手段で抽出された文字列情報から当該原稿の原稿情報を作成する第１の作成手段と、
この第１の作成手段で作成された原稿情報を用いて上記記憶手段に記憶されている複数の広告情報の中から多くの相関関係がある広告情報を選択する選択手段と、
この選択手段で選択された広告情報と当該原稿の画像データとを合成して印刷データを作成する第２の作成手段と、
この第２の作成手段で作成された印刷データを用いて印刷する印刷手段と、
を具備したことを特徴とする印刷装置。
【請求項２】
上記第１の作成手段で作成される原稿情報は、文字列情報を形態素解析して自立語を抽出した単語列、あるいはこれらの単語を重み付けした単語列、あるいは予め重要語となる単語を登録して当該重要語と一致した単語の単語列であることを特徴とする請求項１記載の印刷装置。
【請求項３】
上記第２の作成手段は、原稿の画像データを縮小して、元の原稿画像サイズと縮小画像サイズとの差で得られる部分に広告情報を合成することを特徴とする請求項１記載の印刷装置。
【請求項４】
上記第２の作成手段は、原稿の画像データにおける無印字領域を抽出し、抽出した無印字領域に広告情報を合成することを特徴とする請求項１記載の印刷装置。
【請求項５】
上記第２の作成手段は、原稿の画像データが印刷された用紙の裏面に印刷する広告情報を作成することを特徴とする請求項１記載の印刷装置。
【請求項６】
上記選択手段は、選択した広告情報が複数の場合、印刷枚数あるいは原稿枚数に応じて複数の広告情報を順に、あるいはランダムに選択することを特徴とする請求項１記載の印刷装置。
【請求項７】
上記選択手段で選択された広告情報を表示する表示手段を具備したことを特徴とする請求項１記載の印刷装置。
【請求項８】
上記印刷手段で印刷された広告情報に対して印刷枚数に応じて広告料を課金する課金手段を具備したことを特徴とする請求項１記載の印刷装置。
【請求項９】
予め登録される複数の広告情報を記憶している記憶手段と、
原稿の画像を読取る読取手段と、
この読取手段で読取られる原稿の画像データに上記広告情報を付与する指示を行う指示手段と、
この指示手段で広告情報付与が指示された際、上記読取手段で読取られた原稿の画像データに対して文字認識を行って文字列情報を抽出する抽出手段と、
この抽出手段で抽出された文字列情報から当該原稿の原稿情報を作成する第１の作成手段と、
この第１の作成手段で作成された原稿情報を用いて上記記憶手段に記憶されている複数の広告情報の中から多くの相関関係がある広告情報を選択する選択手段と、
この選択手段で選択された広告情報と当該原稿の画像データとを合成して印刷データを作成する第２の作成手段と、
この第２の作成手段で作成された印刷データを用いて印刷する印刷手段と、
この印刷手段の印刷動作に応じて、上記指示手段で指示された広告情報付与による減額情報を加えて請求金額を算出する算出手段と、
を具備したことを特徴とする印刷装置。
【請求項１０】
予め登録されている複数の広告情報を所定の検索情報で検索する外部装置と通信回線を介して接続される印刷装置において、
原稿の画像を読取る読取手段と、
この読取手段で読取られた原稿の画像データに対して文字認識を行って文字列情報を抽出する抽出手段と、
この抽出手段で抽出された文字列情報から検索情報を作成する第１の作成手段と、
この第１の作成手段で作成された検索情報を上記通信回線を介して上記外部装置に送信する送信手段と、
上記外部装置から送信される上記検索情報で検索された広告情報を受信する受信手段と、
この受信手段で受信された広告情報と当該原稿の画像データとを合成して印刷データを作成する第２の作成手段と、
この第２の作成手段で作成された印刷データを用いて印刷する印刷手段と、
を具備したことを特徴とする印刷装置。
【請求項１１】
予め登録される複数の広告情報を記憶し、
原稿の画像を読取り、
この読取られた原稿の画像データに対して文字認識を行って文字列情報を抽出し、
この抽出された文字列情報から当該原稿の原稿情報を作成し、
この作成された原稿情報を用いて上記記憶されている複数の広告情報の中から多くの相関関係がある広告情報を選択し、
この選択された広告情報と当該原稿の画像データとを合成して印刷データを作成し、
この作成された印刷データを用いて印刷するようにしたことを特徴とする印刷方法。
【請求項１２】
予め登録される複数の広告情報を記憶し、
原稿の画像を読取り、
この読取られる原稿の画像データに上記広告情報を付与する指示を行い、
この広告情報付与が指示された際、上記読取られた原稿の画像データに対して文字認識を行って文字列情報を抽出し、
この抽出された文字列情報から当該原稿の原稿情報を作成し、
この作成された原稿情報を用いて上記記憶されている複数の広告情報の中から多くの相関関係がある広告情報を選択し、
この選択された広告情報と当該原稿の画像データとを合成して印刷データを作成し、
この作成された印刷データを用いて印刷し、
この印刷動作に応じて、上記広告情報付与による減額情報を加えて請求金額を算出するようにしたことを特徴とする印刷方法。
【請求項１３】
予め登録されている複数の広告情報を所定の検索情報で検索する外部装置と通信回線を介して接続される印刷装置の印刷方法であって、
原稿の画像を読取り、
この読取られた原稿の画像データに対して文字認識を行って文字列情報を抽出し、
この抽出された文字列情報から検索情報を作成し、
この作成された検索情報を上記通信回線を介して上記外部装置に送信し、
上記外部装置から送信される上記検索情報で検索された広告情報を受信し、
この受信された広告情報と当該原稿の画像データとを合成して印刷データを作成し、
この作成された印刷データを用いて印刷するようにしたことを特徴とする印刷方法。
【発明の詳細な説明】
【０００１】
【発明の属する技術分野】
この発明は、原稿の画像を読取って用紙に画像を形成する電子複写機等の印刷装置と印刷方法に関する。
【０００２】
【従来の技術】
一般の顧客に広告を配信する手段として、テレビやラジオのＣＭ、新聞広告、郵便によるダイレクトメールを始めとして、最近ではファクシミリや電子メールを用いたダイレクトメールなども盛んに利用されている。
【０００３】
従来のファクシミリによる広告情報提供サービスでは、顧客側がその広告の配信を特に要求した場合などの特別な場合を除き、受信者の興味とは違った広告を配信してしまうことが多かった。
【０００４】
また、特開２００１−７７９５３号公報のように情報コンテンツに関連する広告を合成するものもあるが、提供される広告は受信者のみにしか知らせることができないため、効率的でなかった。
【０００５】
【発明が解決しようとする課題】
上記したように、従来から広告情報の提供サービスでは、顧客の興味に応じた適切な広告を提供することが難しく、効率良く広告を提供することができないという問題があった。
【０００６】
そこで、この発明は、顧客の興味に応じた適切な広告を選択し、効率良く広告を提供して印刷することのできる印刷装置と印刷方法を提供することを目的とする。
【０００７】
【課題を解決するための手段】
この発明の印刷装置は、予め登録される複数の広告情報を記憶している記憶手段と、原稿の画像を読取る読取手段と、この読取手段で読取られた原稿の画像データに対して文字認識を行って文字列情報を抽出する抽出手段と、この抽出手段で抽出された文字列情報から当該原稿の原稿情報を作成する第１の作成手段と、この第１の作成手段で作成された原稿情報を用いて上記記憶手段に記憶されている複数の広告情報の中から多くの相関関係がある広告情報を選択する選択手段と、この選択手段で選択された広告情報と当該原稿の画像データとを合成して印刷データを作成する第２の作成手段と、この第２の作成手段で作成された印刷データを用いて印刷する印刷手段とから構成されている。
【０００８】
この発明の印刷方法は、予め登録される複数の広告情報を記憶し、原稿の画像を読取り、この読取られた原稿の画像データに対して文字認識を行って文字列情報を抽出し、この抽出された文字列情報から当該原稿の原稿情報を作成し、この作成された原稿情報を用いて上記記憶されている複数の広告情報の中から多くの相関関係がある広告情報を選択し、この選択された広告情報と当該原稿の画像データとを合成して印刷データを作成し、この作成された印刷データを用いて印刷するようにしたことを特徴とする。
【０００９】
【発明の実施の形態】
以下、この発明の一実施の形態について図面を参照して説明する。
【００１０】
図１は、この発明の印刷装置に係るデジタル複写機１の概略構成を示すものである。
【００１１】
デジタル複写機１は、コントローラ１０、情報処理部１００、文字列認識部１１０、入力部２００、印刷部５００、操作パネル８００、及びデータ記憶部９００とから構成されている。
【００１２】
なお、このデジタル複写機１には、図示しないが自動両面装置が設けられ、両面コピーが可能な構成となっている。
【００１３】
コントローラ１０は、ＣＰＵが使われている。このコントローラ１０は、デジタル複写機１の全体の動作を司り、予め格納されているプログラムによって動作する。
【００１４】
情報処理部１００は、画像データや文字列情報等の各種の処理を行う。
【００１５】
入力部２００は、原稿を光学的に走査して、原稿の画像データを入力するスキャナ等の画像入力手段である。また、入力部２００は、図示しない自動原稿送り装置を有し、本装置の原稿トレイに載せられた複数の原稿を自動で原稿走査位置に搬送することができる。
【００１６】
印刷部５００は、プリンタ等の印刷手段であるが、例えば、電子写真式、インクジェット式等の各種方式が考えられるが、本実施の形態では電子写真式を使用しているものとする。
【００１７】
操作パネル８００は、様々な複写条件並びに複写動作を開始させる複写開始信号などを入力する。
【００１８】
データ記憶部９００は、広告情報、重要語辞書、課金情報等が記憶される。
【００１９】
また、情報処理部１００は、文字列認識部１１０、ＲＡＭ１２０、ページメモリ１３０、及び拡大縮小部１４０を有している。文字列認識部１１０は、入力部２００から入力される原稿の画像データから文字情報を抽出する。ＲＡＭ１２０は、入力部２００から入力される原稿の画像データを一旦記憶する。ページメモリ１３０は、複数ページ分の画像情報を記憶できる領域を有し、入力部２００からの画像データを１ページ分ごとに記憶可能に形成されている。拡大縮小部１４０は、画像データを拡大または縮小する。
【００２０】
また、操作パネル８００は、図２に示すように、テンキー８１、コピーキー８２，９２、状態表示部８３、液晶表示部８４、原稿サイズ設定キー８５、用紙サイズ設定キー８６、濃度表示部８７、濃度設定キー８８、及び倍率設定キー８９によって構成されている。
【００２１】
テンキー８１は、原稿枚数やコピー枚数を設定するものである。
【００２２】
コピーキー８２は、コピー開始を指示するものである。
【００２３】
広告付きコピーキー９２は、詳しくは後述するが、広告付きのコピー開始を指示する指示手段である。
【００２４】
状態表示部８３は、給紙カセットの選択状態や、原稿や、用紙のジャムなどを案内表示するものである。
【００２５】
液晶表示部８４は、原稿枚数やコピー枚数を表示するとともに、複写倍率や編集の表示や種々の操作案内を行うものである。この液晶表示部８４には、タッチパネルが設けられており、上記選択キーの入力など種々の動作指示が入力できるようになっている。たとえば、種々の広告付きコピーを選択入力できるようになっている。例えば、広告付きコピーとして、原稿の画像データを縮小して当該用紙サイズに対する余白部分に広告データを合成して印刷する。また、原稿の画像データの無印字部分に広告データを合成して印刷する。また、原稿の画像データを印刷した裏面に広告データを印刷する。
【００２６】
原稿サイズ設定キー８５は、原稿のサイズを設定するものである。
【００２７】
用紙サイズ設定キー８６は、用紙のサイズを設定するものである。
【００２８】
濃度表示部８７は、濃度設定キー８８により設定されるコピー濃度が表示されるものである。
【００２９】
また、データ記憶部９００は、広告情報が登録される広告データベース９１０、重要な単語の辞書が予め登録される重要語辞書データベース９２０、広告に対する課金情報が蓄積される課金データベース９３０とを有している。
【００３０】
データ記憶部９００における広告データベース９１０に登録されている広告情報には、広告として印刷するための広告画像データと、類似性を判断するための広告プロファイルとが含まれている。
【００３１】
図３は、１つの広告情報の例を示すものである。この広告情報例では、広告ＩＤが「Ｃ００１」、広告主が「ＡＢＣ英会話教室」、検索キーワードが「英語、英会話、海外旅行」、地域が「東経○○度○○分○○秒、北緯○○度○○分○○秒、半径５ｋｍ」、個人情報が「２０代、独身」、及び広告画像データとから構成されている。
【００３２】
このように広告プロファイルには、単語列または説明文が登録できる。単語列としては、上述したように、「英語」、「英会話」、「海外旅行」などのキーワードが登録される。
【００３３】
説明文としては、例えば、「安くて身に付く英会話教室で、海外旅行に最適」などを登録することができる。
【００３４】
次に、このような構成において、第１の実施形態に係るデジタル複写機１の複写動作を図４のフローチャートを参照して説明する。
【００３５】
顧客は、まず、課金部３０に料金を投入し、複写する原稿を本機の入力部２００にセットする。複数の原稿の場合、入力部２００が有する自動原稿送り装置を用いて自動で原稿読取位置へ搬送することができる。
【００３６】
ここで、顧客は、広告付きのコピーを選択する場合、広告付きコピーキー９２を押下する。
【００３７】
広告付きコピーキー９２が押下された際、コントローラ１０は、原稿を走査して画像データをＲＡＭ１２０に記憶するとともに、文字列認識部１１０で当該画像データに対して文字認識を行って文字列情報を抽出する（ＳＴ３０１）。
【００３８】
コントローラ１０は、文字列認識部１１０で抽出された文字列情報から当該原稿のプロファイルを作成する（ＳＴ３０２）。原稿のプロファイル作成は、文字列情報を形態素解析して自立語を抽出し、その単語列をプロファイルとする。
【００３９】
なお、形態素解析された単語に対して文献（「情報検索と言語処理」、徳永健伸著、東京大学出版会）に示されているＴＦ・ＩＤＦによる方法で重みを付け、重みの大きい単語を単語列で原稿のプロファイルとするようにしても良い。
【００４０】
また、予め重要語となる単語を重要語辞書データベース９２０としてデータ記憶部９００に登録しておき、辞書語とマッチする単語を単語列として原稿のプロファイルとするようにしても良い。
【００４１】
さらに、原稿のプロファイルには、これら単語列のほかに本デジタル複写機１が設置されている位置が経度緯度で記述される。また、カードリーダ２０等からメンバーズカードを利用して顧客の情報が得られた場合、顧客の性別、年齢、興味などの個人情報を原稿のプロファイルに加える。
【００４２】
続いて、コントローラ１０は、作成した当該原稿のプロファイルを用いて広告データベース９１０を検索し、より多くの相関関係がある広告情報を選択する（ＳＴ３０３）。広告情報の選択手法は、原稿のプロファイルと広告情報における広告のプロファイルとの相関を計算し、より多くの相関関係がある広告情報を選択する。相関の一例は、各プロファイルの単語ベクトルで表現し、内積を計算する方法などがある。
【００４３】
ここで、コントローラ１０は、選択した広告情報とＲＡＭ１２０に記憶された当該画像データとを合成してビットマップデータに展開して印刷データとしてページメモリ１３０に記憶する（ＳＴ３０４）。
【００４４】
印刷データの作成例としては、原稿の画像データを拡大縮小部１４０で縮小し、縮小した原稿サイズと元の原稿サイズとの差で得られる部分に選択された広告情報の広告画像データを合成して印刷データを作成する。
【００４５】
図５は、原稿の画像データを縮小して作成される印刷データの例を示すものである。図５の（ａ）は、原稿である。例えば、原稿のサイズがＡ４であったとする。これをＡ４サイズからＢ５サイズに縮小すると図５の（ｂ）に示す部分ｍ、ｎが得られる。図５の（ｂ）に示す印刷データは、部分ｎに広告画像データを合成したものである。
【００４６】
他の印刷データ作成例としては、原稿の画像データ中の無印字部分を抽出し、そこに広告画像データを合成して印刷データを作成する。
【００４７】
図６は、原稿の画像データ中の無印字部分に広告画像データを合成する印刷データの例を示すものである。図６の（ａ）は、原稿である。この原稿の画像データにおける無印字部分ｐが抽出される。図６の（ｂ）に示す印刷データが、広告画像データを合成したものである。
【００４８】
他の印刷データ作成例としては、原稿の画像データを印刷した用紙の裏面に広告画像データを印刷する。
【００４９】
図７は、裏面印刷の例を示すものである。図７の（ａ）は、原稿である。図７の（ｂ）は、図示しない自動両面装置を用いて、図７の（ａ）に示す原稿の画像データを印刷した用紙の裏面に印刷する広告印刷データである。この場合、元の広告画像データを拡大縮小部１４０で拡大するようにしても良い。
【００５０】
続いて、コントローラ１０は、ページメモリ１３０に記憶した印刷データに基づいて印刷部５００で印刷する（ＳＴ３０５）。
【００５１】
最後に、コントローラ１０は、印刷料金、広告料金等の課金処理を行う（ＳＴ３０６）。
【００５２】
この場合、コントローラ１０は、印刷枚数、広告付与コピーか否かにより印刷料金を計算し、課金部３０から料金を引き落とす。例えば、広告なしのコピーがされた場合に１枚１０円で課金を計算し、広告付与コピーがされた場合に１枚５円で課金を計算する。
【００５３】
さらに、コントローラ１０は、広告付与コピーを行った場合、印刷した広告の広告主への広告料を計算してデータ記憶部９００の課金データベース９３０に蓄積する。
【００５４】
上記第１の実施形態によれば、顧客は、広告付与コピーを行った場合、コピー料金を減額させることができる。
【００５５】
次に、第２の実施形態について説明する。
【００５６】
広告主が位置による相関を希望している場合、図３に示すように、広告情報に緯度経度で示す範囲を限定した地域情報を記述しておく。
【００５７】
それにより、コントローラ１０は、当該原稿のプロファイルを用いて広告データベース９１０を検索する際、広告情報における地域情報を検索し、当該デジタル複写機１がその地域の範囲に設けられていた場合に、その広告情報を選択する。
【００５８】
上記第２の実施形態によれば、広告主の希望する地域に限定して広告することができる。
【００５９】
次に、第３の実施形態について説明する。
【００６０】
広告主が顧客の性別、年齢、興味などの情報を元に広告することを希望する場合、図３に示すように、広告情報に希望する顧客の個人情報を記述しておく。
【００６１】
それにより、コントローラ１０は、当該原稿のプロファイルを用いて広告データベース９１０を検索する際、広告情報における個人情報も検索し、顧客の個人情報が適合する場合に当該広告情報を選択する。
【００６２】
原稿のプロファイルにおける検索のための個人情報は、例えば、カードリーダ２０でメンバーズカードを読み込んだ場合に入手することができる。
【００６３】
上記第３の実施形態によれば、広告主の希望する顧客の性別、年齢、興味などの情報を元に広告することができる。
【００６４】
次に、第４の実施形態について説明する。
【００６５】
図８は、第４の実施形態に係るデジタル複写機２の構成を示すものである。このデジタル複写機２は、デジタル複写機１に表示部６００を設けたものである。他の構成は図１に示すデジタル複写機１と同様であるので説明を省略する。
【００６６】
このデジタル複写機２におけるコントローラ１０は、選択した広告情報における広告画像データを表示部６００に表示する。
【００６７】
また、デジタル複写機２におけるコントローラ１０により、合成した印刷データをイメージとして表示部６００に表示するようにしても良い。この場合、広告付きコピーキー９２を押下させる前に、液晶表示部８４で操作案内を行って顧客が納得した上で広告画像データを印刷することができる。
【００６８】
上記第４の実施形態によれば、表示部に広告情報を表示するので、印刷物だけでなく広告することができる。
【００６９】
また、顧客が、広告付きコピーを選択した際に印刷されるイメージを確認することができるので、顧客による選択の幅を広げることができる。特に、広告画像データが印刷された際のイメージを掴むことができる。
【００７０】
次に、第５の実施形態について説明する。
【００７１】
図９は、第５の実施形態に係るデジタル複写機３の構成を示すものである。このデジタル複写機３は、デジタル複写機１のデータ記憶部９００を省略して通信部７００を設け、通信回線４を介してサーバ５に接続されている。他の構成は図１に示すデジタル複写機１と同様であるので説明を省略する。
【００７２】
サーバ５は、コントローラ５０、情報処理部１１００、通信回線４に接続されている通信部１７００、及びデータ記憶部１９００とから構成されている。
【００７３】
コントローラ５０は、このサーバ５の全体の動作を司り、予め格納されているプログラムによって動作する。
【００７４】
データ記憶部１９００には、広告情報、重要語辞書、課金情報等が記憶されている。
【００７５】
第５の実施形態は、図４のフローチャートで説明したステップ３０３の広告情報選択処理が第１の実施形態と異なる。ステップ３０１〜３０２、３０４〜３０６は同様であるので説明を省略する。
【００７６】
以下、第５の実施形態における広告情報選択処理である。
【００７７】
デジタル複写機３で作成された原稿のプロファイルが、通信部７００、通信回線４、通信部１７００を介してサーバ５に送られる。
【００７８】
サーバ５のコントローラ５０は、送られた原稿のプロファイルと適合する広告情報（より多くの相関関係のある広告情報）をデータ記憶部１９００から選択する。
【００７９】
続いて、コントローラ５０は、選択した広告情報を、通信部１７００、通信回線４、通信部７００を介してデジタル複写機３に送る。
【００８０】
デジタル複写機３のコントローラ１０は、ステップ３０４〜３０６の動作を制御する。
【００８１】
上記第５の実施形態によれば、サーバに広告情報を記憶させているので、情報量を多くすることができ、地域情報に対応する広告情報の選択が容易となる。
【００８２】
また、サーバに広告情報を記憶させているので、通信回線を介して複数のデジタル複写機に広告情報を配信するも可能である。
【００８３】
次に、第６の実施形態について説明する。
【００８４】
第６の実施形態は、図１に示したデジタル複写機１において、図４のフローチャートで説明したステップ３０３の広告情報選択処理が第１の実施形態と異なる。ステップ３０１〜３０２、３０４〜３０６は同様であるので説明を省略する。
【００８５】
カードリーダ２０を用いてメンバーズカードが使用された場合、コントローラ１０は、当該メンバーズカードのユーザが複数ページの原稿を複写する際、各ページに違うパターンの広告画像データを選択（登録順、またはランダム）する。この場合、広告主は、広告データベース９１０に登録する際、広告情報にいくつかのパターンの広告画像データを登録しておくことが必要である。
【００８６】
また、課金部３０に料金が投入されてから印刷を終了するまで、同じユーザが本複写機を使用していることをコントローラ１０が検出した際、コントローラ１０は、上記同様に各ページに違うパターンの広告情報を選択する。
【００８７】
上記第６の実施形態によれば、顧客に対して複数種類の広告を印刷することにより、効果的な広告の印刷をすることができる。
【００８８】
なお、上記第１〜第６の実施形態で選択される広告情報に、本複写機を設置している店舗の広告や、当該店舗のクーポン券を印刷するようにしても良い。この場合、原稿の複写のみを目的としていた顧客に対して店舗の商品を買うきっかけを与えることができる。
【００８９】
また、原稿に適合する広告がなかった場合、その旨表示されて減額の無い通常のコピーが行われるか、原稿の内容に依らず広告する旨の依頼があった広告のみ付加される。例えば、図３の「検索キーワード」、「地域」のうち「地域」の記述が原稿に無ければ全地域に有効であり、「検索キーワード」の記述がなければ、原稿の内容に依らず有効となる。
【００９０】
以上説明したように上記発明の実施の形態によれば、広告主に課金した一部を顧客に還元することにより、顧客は広告付きで複写した場合に複写料金を減額させることができる。
【００９１】
同じ原稿が多数印刷される場合、これらは多数の人に配布することを目的としていることが考えられ、また、その多数の人は複写した人と同様の興味を持っていることが考えられ、広告主は、複写した人の人脈を利用することができ、効率良く目的に合った多数の人に広告を配信することができる。
【００９２】
なお、本願発明は、上記（各）実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【００９３】
【発明の効果】
以上詳述したようにこの発明によれば、顧客の興味に応じた適切な広告を選択し、効率良く広告を提供して印刷することのできる印刷装置と印刷方法を提供することができる。
【図面の簡単な説明】
【図１】この発明の印刷装置に係るデジタル複写機の概略構成を示すブロック図。
【図２】操作パネルの構成を示す平面図。
【図３】広告情報の例を示す図。
【図４】第１の実施形態に係るデジタル複写機の複写動作を説明するためのフローチャート。
【図５】原稿の画像データを縮小して作成される印刷データの例を示す図。
【図６】原稿の画像データ中の無印字部分に広告画像データを合成する印刷データの例を示す図。
【図７】裏面印刷の例を示す図。
【図８】第４の実施形態に係るデジタル複写機の構成を示すブロック図。
【図９】第５の実施形態に係るデジタル複写機の構成を示すブロック図。
【符号の説明】
１，２，３…デジタル複写機
５…サーバ（外部装置）
１０，５０…コントローラ（作成手段、選択手段、算出手段）
２０…カードリーダ
３０…課金部（課金手段）
１００，１１００…情報処理部
１１０…文字列認識部（抽出手段）
１２０…ＲＡＭ
１３０…ページメモリ
１４０…拡大縮小部
２００…入力部（読取手段）
５００…印刷部（印刷手段）
６００…表示部（表示手段）
７００，１７００…通信部（送信手段、受信手段）
８００…操作パネル
９００…データ記憶部（記憶手段）
【図１】
0003655251.tif 000002
【図２】
0003655251.tif 000003
【図３】
0003655251.tif 000004
【図４】
0003655251.tif 000005
【図５】
0003655251.tif 000006
【図６】
0003655251.tif 000007
【図７】
0003655251.tif 000008
【図８】
0003655251.tif 000009
【図９】
0003655251.tif 000010